(57)【要約】【課題】サイフォン通水管内を汚れにくくする。【解決手段】貯留容器６４が、排水導入管１８内を流れる排水を、所定水量以上貯留し、貯留した排水を横引き管２０に流す。所定水量以上の排水が、一度に横引き管２０に流入するので、排水が満水の状態で横引き管２０を流れる。満水状態の排水が竪管２２を流下することにより、サイフォン力が発生し、このサイフォン力により、横引き管２０内の排水が誘導され、その排水が促進される。このため、サイフォン通水管内を清掃する自浄作用が期待でき、サイフォン通水管内を汚れにくくできる。【選択図】図４−２
2008214971.tif 000002
【特許請求の範囲】
【請求項１】
水を流下させることによりサイフォン力を発生させて水を誘導する竪管を有するサイフォン通水管と、
前記サイフォン通水管の上流側に配置され、水を貯留する貯留状態とその貯留状態において貯留した水を前記サイフォン通水管へ流出させる流出状態とに変化する貯留部と、
を備えたことを特徴とするサイフォン通水システム。
【請求項２】
前記貯留部は、前記サイフォン通水管を満水にする水量以上貯留可能であることを特徴とする請求項１に記載のサイフォン通水システム。
【請求項３】
前記貯留部は、前記サイフォン通水管へ水を流出させた際に前記竪管が必ずサイフォン力を発生させる水量以上貯留可能であることを特徴とする請求項１に記載のサイフォン通水システム。
【請求項４】
前記サイフォン通水管の上流側で前記サイフォン通水管と連通し、水を一時的に貯留し、その貯留した水を前記サイフォン通水管側へ常時流出させる一時貯留槽を備えたことを特徴とする請求項１〜３のいずれか１項に記載のサイフォン通水システム。
【請求項５】
前記貯留部は、前記一時貯留槽内に設けられていることを特徴とする請求項４に記載のサイフォン通水システム。
【請求項６】
前記貯留部は、前記一時貯留槽の上流側に設けられていることを特徴とする請求項４に記載のサイフォン通水システム。
【請求項７】
前記貯留部は、
水を貯留する貯留容器と、
前記貯留容器の底面に形成され、前記貯留容器が所定水量以上貯留すると開放される開閉部と、
を備えて構成されていることを特徴とする請求項１〜６のいずれか１項に記載のサイフォン通水システム。
【請求項８】
前記貯留部は、水を貯留し、所定水量以上貯留するとその水の重さにより傾いて前記サイフォン通水管に水を流し、水を流した後に元の位置に復帰する貯留容器であることを特徴とする請求項１〜６いずれか１項に記載のサイフォン通水システム。
【請求項９】
前記貯留部は、前記サイフォン通水管の上流側で前記サイフォン通水管と連通する貯留槽であることを特徴とする請求項１〜３のいずれか１項に記載のサイフォン通水システム。
【請求項１０】
前記貯留槽には、前記貯留槽が所定水量以上貯留するとその水の重さにより変形して前記サイフォン通水管に水を流し、水を流した後に元の形状に復帰する変形部が形成されていることを特徴とする請求項９に記載のサイフォン通水システム。
【請求項１１】
前記変形部は、上方へ湾曲するように前記貯留槽の底面に形成され、前記貯留槽が前記所定水量以上貯留するとその水の重さにより下方へ湾曲変形して前記サイフォン通水管に水を流し、水を流した後に元の形状に復帰することを特徴とする請求項１０に記載のサイフォン通水システム。
【発明の詳細な説明】
【技術分野】
【０００１】
本発明は、サイフォン通水システムに関する。
【背景技術】
【０００２】
サイフォン通水システムとしては、サイフォン力を利用して排水を流すサイフォン排水システムが提案されている。サイフォン排水システムは、特許文献１に記載されるように、水周り器具とサイフォン排水管とで構成されており、サイフォン排水管の垂下部をなす竪管にて発生するサイフォン力（負圧力）を利用して、水回り器具からの排水を流すシステムである。
【０００３】
このサイフォン排水システムにおいては、水周り器具から排出された排水はサイフォン排水管に流入し、サイフォン排水管の水平部をなす横引き管及びサイフォン排水管の垂下部をなす竪管を満たす。
サイフォン排水管の竪管が排水で満たされると、竪管内の排水は重力により流下するから、横引き管の内部に、竪管における水頭差に対応する吸引力、即ちサイフォン力が発生する。
【０００４】
横引き管内の排水は、サイフォン力によって竪管に向かって吸引され、サイフォン排水管内が満水となる満水状態でサイフォン排水管内を流下する。
このようなサイフォン排水システムのメリットは、排水の流速が速いため、排水によりサイフォン排水管内を清掃する自浄作用がある点である。
この自浄作用が生じるためには、満水状態で排水が流れて、サイフォン力が発生することが前提となる。
ところで、このようなサイフォン排水システムでは、排水管内に流入する排水が少ない場合でも、水が少しずつ流れ、少量の水が排水処理される。そうすると、サイフォン力が発生せずに排水管に汚れが付着し始める。
勾配を利用して排水する在来排水は、５０Ａ〜７５Ａ程度の太い排水管を用いるのに対して、サイフォン排水システムでは、２０Ａ前後の小口径の排水管を用いる。在来排水では、排水管内の上半分程度が空の状態で、下半分を排水が流れるのに対し、サイフォン排水システムにおいては、管全体満流で流れる。従って、サイフォン排水において、汚れが付き始めると、在来排水よりも深刻な問題となる。
【０００５】
また、サイフォン排水管を設置しても、留め流しを行うか否か等の使用方法の違いにより、サイフォン力が発生しない場合は、自浄作用が期待できない。
例えば、浴槽や洗濯機のように、留め流しを行う場合は、満水状態で排水が流れ、サイフォン力が発生しやすい。これに対して、洗面所や台所流しの場合は、留め流しされることが少なく、洗い流ししかされないと、サイフォン力が発生することがほとんどなく、自浄作用が期待できない。
【０００６】
【特許文献１】特開平６−４２０１９
【発明の開示】
【発明が解決しようとする課題】
【０００７】
本発明は、上記事実を考慮し、サイフォン通水管内を汚れにくくできるサイフォン通水システムを提供することを目的とする。
【課題を解決するための手段】
【０００８】
本発明の請求項１に係るサイフォン通水システムは、水を流下させることによりサイフォン力を発生させて水を誘導する竪管を有するサイフォン通水管と、前記サイフォン通水管の上流側に配置され、水を貯留する貯留状態とその貯留状態において貯留した水を前記サイフォン通水管へ流出させる流出状態とに変化する貯留部と、を備えたことを特徴とする。
【０００９】
この構成によれば、サイフォン通水管の上流側に配置された貯留部は、水を貯留する貯留状態から、その貯留状態において貯留した水をサイフォン通水管へ流出させる流出状態に変化する。
これにより、貯留された水が一気にサイフォン通水管へ流れるので、サイフォン通水管内が満水となりやすいため、竪管によるサイフォン力が発生しやすい。
このため、サイフォン通水管内を清掃する自浄作用が期待でき、サイフォン通水管内を汚れにくくできる。
【００１０】
本発明の請求項２に係るサイフォン通水システムは、請求項１の構成において、前記貯留部は、前記サイフォン通水管を満水にする水量以上貯留可能であることを特徴とする。
この構成によれば、サイフォン通水管を満水にする水量以上の水を貯留し、その水をサイフォン通水管に流出させるので、竪管によるサイフォン力が発生しやすい。
このため、サイフォン通水管内を清掃する自浄作用が期待でき、サイフォン通水管内を汚れにくくできる。
【００１１】
本発明の請求項３に係るサイフォン通水システムは、請求項１の構成において、前記貯留部は、前記サイフォン通水管へ水を流出させた際に前記竪管が必ずサイフォン力を発生させる水量以上貯留可能であることを特徴とする。
この構成によれば、サイフォン通水管へ水を流出させた際に竪管が必ずサイフォン力を発生させる水量以上の水を貯留し、その水をサイフォン通水管に流出させるので、竪管によるサイフォン力が確実に発生する。
このため、サイフォン通水管内を清掃する自浄作用が期待でき、サイフォン通水管内を汚れにくくできる。
【００１２】
本発明の請求項４に係るサイフォン通水システムは、請求項１〜３のいずれか１項の構成において、前記サイフォン通水管の上流側で前記サイフォン通水管と連通し、水を一時的に貯留し、その貯留した水を前記サイフォン通水管側へ常時流出させる一時貯留槽を備えたことを特徴とする。
サイフォン通水システムは、勾配を利用して排水する在来排水と比べると、サイフォン力が発生させ充分な水量の水を誘導できるまでにタイムラグがあるため、例えば、一時貯留槽へ水を排水する浴槽や洗濯機等の水周り器具が一時貯留槽の上流側に配置された構成の場合では、水周り器具の排水口から水が溢れ出たり、水周り器具の排水口へ流れ込む排水の排水性が見た目に明らかに遅く見えたりする場合がある。これに対して、本発明の請求項４の構成によれば、一時貯留槽は、水を一時的に貯留し、その貯留した水をサイフォン通水管側へ常時流出させるので、水周り器具の排水口から水が溢れ出たり、水周り器具の排水口へ流れ込む排水の排水性が見た目に明らかに遅く見えたりするなどの上記の課題を解決できる。
【００１３】
本発明の請求項５に係るサイフォン通水システムは、請求項４の構成において、前記貯留部は、前記一時貯留槽内に設けられていることを特徴とする。
この構成によれば、貯留部が、一時貯留槽内に設けられているので、貯留部の納まりが良く、省スペース化が図れる。
【００１４】
本発明の請求項６に係るサイフォン通水システムは、請求項４の構成において、前記貯留部は、前記一時貯留槽の上流側に設けられていることを特徴とする。
この構成によれば、例えば、一時貯留槽へ水を排水する水周り器具が一時貯留槽の上流側に配置された構成の場合において、その水周り器具が洗面器や台所流しのように排水口の位置が高いときは、一時貯留槽の上流側にスペースがあるため、貯留部の納まりが良い。
【００１５】
本発明の請求項７に係るサイフォン通水システムは、請求項１〜６のいずれか１項の構成において、前記貯留部は、水を貯留する貯留容器と、前記貯留容器の底面に形成され、前記貯留容器が所定水量以上貯留すると開放される開閉部と、を備えて構成されていることを特徴とする。
【００１６】
本発明の請求項８に係るサイフォン通水システムは、請求項１〜６のいずれか１項の構成において、前記貯留部は、水を貯留し、所定水量以上貯留するとその水の重さにより傾いて前記サイフォン通水管に水を流し、水を流した後に元の位置に復帰する貯留容器であることを特徴とする。
この構成によれば、貯留部は、水を貯留し、所定水量以上貯留するとその水の重さにより傾いてサイフォン通水管に水を流すので、特に、貯留部を作動させるための動力を必要としない。
【００１７】
本発明の請求項９に係るサイフォン通水システムは、請求項１〜３のいずれか１項の構成において、前記貯留部は、前記サイフォン通水管の上流側で前記サイフォン通水管と連通する貯留槽であることを特徴とする。
【００１８】
本発明の請求項１０に係るサイフォン通水システムは、請求項９の構成において、前記貯留槽には、前記貯留槽が所定水量以上貯留するとその水の重さにより変形して前記サイフォン通水管に水を流し、水を流した後に元の形状に復帰する変形部が形成されていることを特徴とする。
この構成によれば、貯留槽が所定水量以上貯留するとその水の重さにより変形してサイフォン通水管に水を流すので、特に、貯留部を作動させるための動力を必要としない。
また、変形部を貯留槽と一体化して成形することもでき、また、可動部が少なく故障しにくい。また、貯留部と貯留槽が兼用となるので、部品点数が低減でき、構成が簡易となる。
【００１９】
本発明の請求項１１に係るサイフォン通水システムは、請求項１０の構成において、前記変形部は、上方へ湾曲するように前記貯留槽の底面に形成され、前記貯留槽が前記所定水量以上貯留するとその水の重さにより下方へ湾曲変形して前記サイフォン通水管に水を流し、水を流した後に元の形状に復帰することを特徴とする。
この構成によれば、貯留槽の底面が変形することになるので、変形部の納まりがよい。
【発明の効果】
【００２０】
本発明は、上記構成としたので、サイフォン通水管内を汚れにくくできる。
【発明を実施するための最良の形態】
【００２１】
以下に、本発明に係る実施形態の一例を図面に基づき説明する。
本実施形態では、サイフォン力を利用して水を流すサイフォン通水システムの一例として、サイフォン力を利用して排水を流すサイフォン排水システムについて説明する。
なお、本発明に係るサイフォン通水システムは、生活排水などを流す排水システムだけでなく、例えば、工場等において冷却水を流すシステムに用いても良く、水を流す通水システム全般に適用することが可能である。
【００２２】
（本実施形態に係るサイフォン排水システムの全体構成）
まず、本実施形態に係るサイフォン排水システムの全体構成を説明する。図１には、本実施形態に係るサイフォン排水システムの全体構成が概略図にて示されている。
本実施形態に係るサイフォン排水システム１０は、サイフォン力を利用して水回り器具からの排水を効率よく流す排水システムである。
【００２３】
本実施形態において、サイフォン排水システム１０は、複数階で構成された集合住宅に用いられ、図１に示すように、排水を下方へ流す排水立て管１２を備えている。この排水立て管１２は、集合住宅の上下方向（縦方向）に延設され、集合住宅の各階の床スラブ１４を貫いている。
集合住宅の各階には、浴槽、洗濯機、洗面所、トイレ及び台所流し等の複数の水周り器具１６が設けられており、この水周り器具１６には、水周り器具１６から排出される排水を流す排水導入管１８がそれぞれ接続されている。
【００２４】
排水導入管１８は、水周り器具１６から排出される排水を下方へ流すように構成されている。
排水導入管１８の下流側には、排水を一時的に貯留し、その貯留した排水を、サイフォン通水管としてのサイフォン排水管２３側へ常時流出させる一時貯留槽６２が設けられている。一時貯留槽６２は、箱状に形成され、その上部には、各水周り器具１６から延びる排水導入管１８がそれぞれ接続されている。
【００２５】
一時貯留槽６２の下流側にはサイフォン排水管２３が接続されており、一時貯留槽６２は、サイフォン排水管２３の上流側でサイフォン排水管２３と連通している。
また、一時貯留槽６２内には、水を貯留する貯留状態とその貯留状態において貯留した水をサイフォン排水管２３へ流出させる流出状態とに変化する貯留部６０が設けられている。なお、貯留部６０の構成については後述する。
【００２６】
サイフォン排水管２３は、一時貯留槽６２と連通する横引き管２０と、この横引き管２０と連通する竪管２２とを備えて構成されている。
横引き管２０は、一時貯留槽６２の下側の側部に接続されて一時貯留槽６２と連通し、一時貯留槽６２内に排出された排水が横引き管２０に流入する構成となっている。
一時貯留槽６２と連通する横引き管２０は、床スラブ１４上で横方向に延設されている。この横引き管２０は、無勾配で配置され、一時貯留槽６２から横引き管２０へ流入した排水を横方向へ流す。
【００２７】
この横引き管２０と連通する竪管２２は、排水立て管１２に沿って、上下方向（縦方向）に延設されている。この竪管２２は、横引き管２０から竪管２２へ流入した排水を下方へ流下させることによりサイフォン力を発生させる。
この竪管２２と排水立て管１２とを連結する排水継手５０が設けられている。この排水継手５０は、竪管２２からの排水を排水立て管１２へ合流させる。
【００２８】
また、横引き管２０及び竪管２２は、細くなれば、水周り器具１６からの排水が満水の状態になりサイフォン力が発生しやすい一方、排水処理量が低下する。従って、横引き管２０及び竪管２２は、サイフォン力の発生のしやすさ及び必要な排水処理量を考慮した上で管の内径が設定され、例えば、２０Ａにされている。
また、サイフォン排水管２３としては、サイフォン力を発生させる竪管２２を有していればよく、横引き管２０は、必須の構成でない。
【００２９】
本実施形態に係るサイフォン排水システム１０の構成によれば、水周り器具１６の各々から排出された排水は、排水導入管１８内を下方へ流れ、一時貯留槽６２に流入する。これにより、水周り器具１６の各々から排出された排水は、一時貯留槽６２で合流する。すなわち、一時貯留槽６２は、水周り器具１６の各々から排出された排水を集合させる機能を有する。
そして、一時貯留槽６２に流入した排水は、さらに、無勾配の横引き管２０内を横方向へ流れる。次いで、排水は、竪管２２を流下し、竪管２２におけるサイフォン水頭Ｈｓのポテンシャルエネルギ−により、サイフォン力が発生する。このサイフォン力により、排水導入管１８、横引き管２０及び竪管２２内の排水が誘導され、その排水が促進される。
【００３０】
このため、竪管２２側へ下る下り勾配が横引き管２０になくとも、逆に若干の逆勾配があったとしても、サイフォン力により、排水を導くことができる。なお、横引き管２０には、竪管２２側へ下る下り勾配があってもよい。
【００３１】
なお、本実施形態に係るサイフォン排水システム１０において、排水導入管１８は、図２に示すように、縦方向に延びると共に横方向へ屈曲する排水導入管２１であってもよい。
図２に示す構成では、排水導入管２１は、一時貯留槽６２が接続されると共に、一時貯留槽６２側へ下る下り勾配を有し、この下り勾配を利用して、一時貯留槽６２へ排水が流れるようになっている。
【００３２】
また、本実施形態に係るサイフォン排水システム１０では、水回り器具からの排水を効率よく排出するものであったが、雨水など水周り器具１６以外から発生する排水を効率よく排出するために用いてもよい。
また、本実施形態に係るサイフォン排水システム１０は、集合住宅に用いられていたが、戸建の住宅に用いても良い。
【００３３】
（本実施形態に係る貯留部６０の構成）
次に、上記の実施形態に係る貯留部６０の構成を説明する。図３及び図４には、本実施形態に係る貯留部６０の構成が示されている。
本実施形態に係る貯留部６０は、図３に示すように、一時貯留槽６２内に設けられておいる。なお、貯留部６０は、一時貯留槽６２の上流側に設けられている構成であってもよい。
貯留部６０は、排水導入管１８から流れてきた排水を貯留する貯留容器６４を備えている。貯留容器６４は、上部に開口が形成された箱状とされ、この上部開口が、排水導入管１８から流れてきた水を流入させる流入口となっている。
【００３４】
貯留容器６４の底面には、開閉可能な開閉部６６が形成されている。開閉部６６が閉鎖された状態において、貯留部６０は、水を貯留する貯留状態となり、開閉部６６が開放された状態において、貯留部６０は、その貯留状態において貯留した水を横引き管２０へ流出させる流出状態となる。
貯留部６０には、貯留容器６４内に所定水量以上貯留されると、開閉部６６を開閉させる開閉機構が設けられている。
この開閉機構としては、例えば、貯留容器６４内に貯留された水の重さ等の物理的な要因により開閉部６６を開閉させる機構や、貯留容器６４内に貯留された水の水量を検知してその検知信号により開閉部６６を開閉させる機構などがある。
物理的な要因により開閉部６６を開閉させる機構としては、例えば、開閉部６６を閉鎖する方向に付勢するばね等の付勢手段を設け、貯留容器６４内に所定水量以上貯留されるとその水の重さにより、付勢手段の付勢力に対抗して開閉部６６を開放する構成としてもよい。
また、貯留容器６４内に貯留された水の水量を検知してその検知信号により開閉部６６を開閉させる機構としては、図３に示す構成としても良い。
図３に示す構成では、貯留容器６４内の水量を検知する検知センサ６５が、貯留容器６４に設けられている。この検知センサ６５には、制御部６７が接続され、検知センサ６５は、貯留容器６４内の水量が所定水量以上となったことを検知し、この検知信号を制御部６７に送るようになっている。
【００３５】
制御部６７には、開閉部６６の駆動部６８が接続され、検知信号を取得した制御部６７は、開閉部６６の駆動部６８へ駆動信号を送り、開閉部６６を開放させる。開閉部６６が開放することにより、所定水量以上の排水が、貯留容器６４から一時貯留槽６２へ排出されて、一時貯留槽６２内の排水が横引き管２０に流入するようになっている。また、開閉部６６は、排水を流した後には、開閉部６６の駆動部６８により閉鎖される。
【００３６】
貯留部６０は、サイフォン排水管２３を満水にする水量以上貯留可能とされており、この水量以上の水をサイフォン排水管２３に流入させることができる。なお、貯留部６０が、サイフォン排水管２３へ水を流出させた際に竪管２２が必ずサイフォン力を発生させる水量以上貯留可能に構成しても良い。
なお、必ずサイフォン力を発生させる水量は、サイフォン排水管２３の各条件（横引き長さ、内径）によって異なるものであり、各条件ごとにＨｓ部分で、水分子が表面張力によって引っ張られることによってまとまりを形成する分だけ上流側からの水頭がかかる水量である。
【００３７】
（本実施形態に係る貯留部６０の作用）
次に、本実施形態に係る貯留部６０の作用を、本実施形態に係る貯留部６０を備えない構成と比較して説明する。
本実施形態に係る貯留部６０を備えない構成では、図４−１（Ａ）、（Ｂ）に示すように、水周り器具１６から排出された排水が、直接一時貯留槽６２へ排出され、一時貯留槽６２へ排出された排水が横引き管２０に流入する。
この構成では、水周り器具１６から排出された排水が少ない場合でも、横引き管２０へは常時に水が少しずつ流れ、少量の水が排水処理される。このため、サイフォン力が発生せずに排水管に汚れが付着し始める。
これに対して、本実施形態に係る貯留部６０の構成では、水周り器具１６から排出された排水は、排水導入管１８内を下方へ流れ、図４−２（Ａ）に示すように、貯留容器６４の流入口から貯留容器６４内へ流入し、貯留容器６４に貯留される。
【００３８】
貯留容器６４内に貯留された排水が、所定水量以上となると、検知センサ６５が、貯留容器６４内の水量が所定水量以上となったことを検知し、この検知信号が制御部６７へ送られる。
検知信号を取得した制御部６７が、開閉部６６の駆動部６８へ駆動信号を送り、図４−２（Ｂ）に示すように、開閉部６６を開放させる。これにより、所定水量以上の排水が、貯留容器６４から一時貯留槽６２へ排出され、図４−２（Ｃ）に示すように、一時貯留槽６２に貯留した排水が横引き管２０に流入する。
【００３９】
このように、所定水量以上の排水（例えば、サイフォン排水管２３を満水にする水量以上の排水）が、一度に横引き管２０に流入するので、排水が満水の状態で横引き管２０を流れる。満水状態の排水が竪管２２を流下することにより、サイフォン力が発生し、このサイフォン力により、横引き管２０内の排水が誘導され、その排水が促進される。
このように、本実施形態の構成によれば、サイフォン排水管２３内が満水となりやすいため、竪管２２によるサイフォン力が発生しやすく、サイフォン排水管２３内を清掃する自浄作用が期待でき、サイフォン排水管２３内を汚れにくくできる。
【００４０】
（本実施形態に係る貯留部６０の第１変形例）
次に、本実施形態に係る貯留部６０の第１変形例を説明する。図５及び図６には、第１変形例に係る貯留部の構成が示されている。
第１変形例に係る貯留部７０は、図５に示すように、一時貯留槽６２内に設けられておいる。なお、貯留部６０は、一時貯留槽６２の上流側に設けられている構成であってもよい。
【００４１】
一時貯留槽６２内には、排水導入管１８から流れてきた排水を所定水量以上貯留する貯留容器７４が設けられている。貯留容器７４は、上部に開口が形成されたお碗形状とされ、この上部開口が、排水導入管１８から流れてきた水を流入させる流入口となっている。
【００４２】
この貯留容器７４は、アーム７３の一端部に設けられ、アーム７３の他端部には、おもり７５が設けられている。アーム７３は、一時貯留槽６２内の上壁面に固定された支持部材７６に回動可能に支持されており、貯留容器７４とおもり７５がつり合うことにより、アーム７３が水平状態を保つようにされている。
【００４３】
貯留容器７４は、所定水量以上貯留するとその排水の重さにより傾いて、貯留容器７４内の排水が一時貯留槽６２へ排出されて、一時貯留槽６２内の排水が横引き管２０に流入するようになっている。
また、貯留容器７４は、排水を流した後には、おもり７５の重さにより、元の位置に復帰するようになっている。このように、第１変形例に係る貯留部７０では、ししおどしの構造と利用することで、所定水量以上貯留し、その貯留した水を横引き管２０へ流す構成とされている。
【００４４】
貯留部６０は、サイフォン排水管２３を満水にする水量以上貯留可能とされており、この水量以上の水をサイフォン排水管２３に流入させることができる。なお、貯留部６０が、サイフォン排水管２３へ水を流出させた際に竪管２２が必ずサイフォン力を発生させる水量以上貯留可能に構成しても良い。
なお、必ずサイフォン力を発生させる水量は、サイフォン排水管２３の各条件（横引き長さ、内径）によって異なるものであり、各条件ごとにＨｓ部分で、水分子が表面張力によって引っ張られることによってまとまりを形成する分だけ上流側からの水頭がかかる水量である。
【００４５】
（第１変形例に係る貯留部７０の作用）
次に、第１変形例に係る貯留部７０の作用を説明する。
水周り器具１６から排出された排水は、排水導入管１８内を下方へ流れ、図６（Ａ）に示すように、貯留容器７４の流入口から貯留容器７４内へ流入し、貯留容器７４に貯留される。
【００４６】
貯留容器７４内に貯留された排水が、所定水量以上となると、図６（Ｂ）に示すように、その排水の重さにより貯留容器７４が傾いて、貯留容器７４内の排水が一時貯留槽６２へ排出され、図６（Ｃ）に示すように、一時貯留槽６２内の排水が横引き管２０に流入する。
【００４７】
このように、所定水量以上の排水（例えば、サイフォン排水管２３を満水にする水量以上の排水）が、一度に横引き管２０に流入するので、排水が満水の状態で横引き管２０を流れる。満水状態の排水が竪管２２を流下することにより、確実にサイフォン力が発生し、このサイフォン力により、横引き管２０内の排水が誘導され、その排水が促進される。
このように、本変形例の構成によれば、サイフォン排水管２３内が満水となりやすいため、竪管２２によるサイフォン力が発生しやすく、サイフォン排水管２３内を清掃する自浄作用が期待でき、サイフォン排水管２３内を汚れにくくできる。  なお、貯留容器７４は、排水を流した後には、おもり７５の重さにより、元の位置に復帰する。
【００４８】
（本実施形態に係る貯留部６０の第２変形例）
次に、本実施形態に係る貯留部６０の第２変形例を説明する。図７及び図８には、第２変形例の構成が示されている。
【００４９】
第２変形例においては、本実施形態に係る貯留部６０に替えて、貯留槽８２を備えている。
貯留槽８２は、上記の実施形態と同様に、水周り器具１６の各々から延びる排水導入管１８に接続され、図７に示すように、排水導入管１８と連通している。また、貯留槽８２は、サイフォン排水管２３の上流側でサイフォン排水管２３を構成する横引き管２０に接続され、横引き管２０と連通している。貯留槽８２は箱状に形成され、その上部に排水導入管１８が接続されている。横引き管２０は、貯留槽８２の底面に接続され、貯留槽８２内の排水が横引き管２０に流入する構成となっている。
水周り器具１６の各々から排出された排水は、この貯留槽８２に合流するようになっており、貯留槽８２は、上記の実施形態に係る一時貯留槽６２と同様に、水周り器具１６の各々から排出された排水を集合させる機能を有する。
さらに、横引き管２０が接続される貯留槽８２の底面には、上方へ湾曲する変形部８４が形成されている。変形部８４は、弾性素材で形成され、下方にも湾曲変形可能とされている。
【００５０】
貯留槽８２に所定水量以上貯留されると、その排水の重さにより、変形部８４が下方へ湾曲変形して、貯留槽８２内の排水が横引き管２０に流入するようになっている。
また、変形部８４は、排水を流した後には、その弾性力により、元の位置に復帰するようになっている。
【００５１】
貯留槽８２は、サイフォン排水管２３を満水にする水量以上貯留可能とされており、この水量以上の水をサイフォン排水管２３に流入させることができる。なお、貯留槽８２が、サイフォン排水管２３へ水を流出させた際に竪管２２が必ずサイフォン力を発生させる水量以上貯留可能に構成しても良い。
なお、必ずサイフォン力を発生させる水量は、サイフォン排水管２３の各条件（横引き長さ、内径）によって異なるものであり、各条件ごとにＨｓ部分で、水分子が表面張力によって引っ張られることによってまとまりを形成する分だけ上流側からの水頭がかかる水量である。
このように、第２変形例では、この貯留槽８２に、上記の実施形態に係る一時貯留槽６２と、本実施形態に係る貯留部６０との両方の機能を持たせている。
【００５２】
（第２変形例に係る貯留部８０の作用）
次に、第２変形例に係る貯留部８０の作用を説明する。
水周り器具１６から排出された排水は、排水導入管１８内を下方へ流れ、図８（Ａ）に示すように、貯留槽８２へ流入し、貯留槽８２に貯留される。貯留槽８２内に排水が貯留されると、図８（Ｂ）に示すように、その排水に重みにより、変形部８４が下方へ変形を始める。
【００５３】
貯留槽８２内に貯留された排水が、所定水量以上となると、図８（Ｃ）に示すように、その排水の重さにより変形部８４が下方へ湾曲変形して、貯留槽８２内の排水が横引き管２０に流入する。
【００５４】
このように、所定水量以上の排水（例えば、サイフォン排水管２３を満水にする水量以上の排水）が、一度に横引き管２０に流入するので、排水が満水の状態で横引き管２０を流れる。満水状態の排水が竪管２２を流下することにより、サイフォン力が発生し、このサイフォン力により、横引き管２０内の排水が誘導され、その排水が促進される。
このように、本変形例の構成によれば、サイフォン排水管２３内が満水となりやすいため、竪管２２によるサイフォン力が発生しやすく、サイフォン排水管２３内を清掃する自浄作用が期待でき、サイフォン排水管２３内を汚れにくくできる。
変形部８４は、排水を流した後には、図８（Ｄ）に示すように、その弾性力により、元の位置に復帰する。
【００５５】
なお、本発明の貯留部としては、上記の実施形態に係る貯留部６０、第１変形例に係る貯留部７０及び第２変形例に係る貯留槽８２に限られるものではなく、水を貯留する貯留状態とその貯留状態において貯留した水をサイフォン通水管へ流出させる流出状態とに変化する貯留部であればよい。
本発明は、上記の実施形態に限るものではなく、種々の変形、変更、改良が可能である。
【図面の簡単な説明】
【００５６】
【図１】図１は、本発明の実施形態に係るサイフォン排水システムの全体構成を示す概略図である。
【図２】図２は、本実施形態に係るサイフォン排水システムの変形例を示す概略図である。
【図３】図３は、本実施形態に係る貯留部の構成を示す概略図である。
【図４−１】図４−１は、本実施形態に係る貯留部を備えない比較例の構成を示す概略図である。
【図４−２】図４−２は、本実施形態に係る貯留部の動作を示す概略図である。
【図５】図５は、第１変形例に係る貯留部の構成を示す概略図である。
【図６】図６は、第１変形例に係る貯留部の動作を示す概略図である。
【図７】図７は、第２変形例に係る貯留部の構成を示す概略図である。
【図８】図８は、第２変形例に係る貯留部の動作を示す概略図である。
【符号の説明】
【００５７】
１０   サイフォン排水システム（サイフォン通水システム）
２２   竪管
２３   サイフォン排水管（サイフォン通水管）
６０   貯留部
６２   一時貯留槽
６４   貯留容器
６６   開閉部
７０   貯留部
７４   貯留容器
８２   貯留槽（貯留部）
８４   変形部
【図１】
2008214971.tif 000003
【図２】
2008214971.tif 000004
【図３】
2008214971.tif 000005
【図４−１】
2008214971.tif 000006
【図４−２】
2008214971.tif 000007
【図５】
2008214971.tif 000008
【図６】
2008214971.tif 000009
【図７】
2008214971.tif 000010
【図８】
2008214971.tif 000011